(57)【要約】  緊急簡易ベッドの患者用装着帯システムが開示される。この装着帯システムは、胸部ベルト拘束具と、大腿部ベルト拘束具と、肩部装着帯及び骨盤拘束具を備えた装着帯拘束具とを含む。装着帯拘束具は、複数の簡易着脱式拘束バックルを介して緊急簡易ベッドに取付け可能である。また、患者用装着帯システムを用いて緊急簡易ベッドに患者を留める方法も開示される。【選択図】図２
2010500122.tif 000002
【特許請求の範囲】
【請求項１】
緊急簡易ベッドの患者用装着帯システムであって、
胸部ベルト拘束具と、
大腿部ベルト拘束具と、
肩部装着帯及び骨盤拘束具を有する装着帯拘束具と、を含み、
前記装着帯拘束具は、複数の簡易着脱式拘束バックルを介して緊急簡易ベッドに取付け可能である患者用装着帯システム。
【請求項２】
前記肩部装着帯は固定用ベルト部分及び一対の肩部ベルト部分を含む、請求項１に記載の患者用装着帯システム。
【請求項３】
前記肩部装着帯は固定用ベルト部分及び一対の肩部ベルト部分を含み、固定用ベルト部分が複数の簡易着脱式拘束バックルのうちの２つを備える、請求項１に記載の患者用装着帯システム。
【請求項４】
前記骨盤ベルトは前記複数の簡易着脱式拘束バックルのうちの２つを備える、請求項１に記載の患者用装着帯システム。
【請求項５】
前記肩部装着帯が固定用ベルト部分及び一対の肩部ベルト部分を含み、複数の簡易着脱式拘束バックルが４つの簡易着脱式拘束バックルからなり、固定用ベルト部分が４つの簡易着脱式拘束バックルのうちの２つを備え、骨盤ベルトが４つの簡易着脱式拘束バックルのうちの残りの２つを備える、請求項１に記載の患者用装着帯システム。
【請求項６】
前記肩部装着帯が固定用ベルト部分及び一対の肩部ベルト部分を含み、緊急簡易ベッドが複数の簡易着脱式拘束バックルの取付け先端部材を備え、簡易着脱式拘束バックルを介して固定用ベルト部分及び骨盤ベルトを取付け先端部材に解放可能に取り付ける、請求項１に記載の患者用装着帯システム。
【請求項７】
前記緊急簡易ベッドに取り付けられる請求項１に記載の患者用装着帯システムであって、肩部装着帯が固定用ベルト部分及び一対の肩部ベルト部分を含み、緊急簡易ベッドがその背もたれパネルに取付け先端部材を備え、前記固定用ベルト部分が、複数の簡易着脱式拘束バックルのうちの一対を介して取付け先端部材に解放可能に取り付けられる、前記患者用装着帯システム。
【請求項８】
前記一対の肩部ベルト部分が一対の捻れた長い小身を備える、請求項２に記載の患者用装着帯システム。
【請求項９】
前記複数の簡易着脱式拘束バックルを介して骨盤ベルト及び固定用ベルト部分を緊急簡易ベッドに解放可能に取り付け、一対の肩部ベルト部分が一対の捻れた長い小身を備える、請求項２に記載の患者用装着帯システム。
【請求項１０】
前記複数の簡易着脱式拘束バックルを介して骨盤ベルト及び固定用ベルト部分を緊急簡易ベッドに解放可能に取り付け、一対の肩部ベルト部分がスロットを各々有する一対の捻れた小身を備え、骨盤ベルトがバックル及び小身を備え、該小身はバックルに固定される際に前記捻れた小身の各スロットを通り抜ける大きさである、請求項２に記載の患者用装着帯システム。
【請求項１１】
前記複数の簡易着脱式拘束バックルの各々に保持プラグを更に含む、請求項１に記載の患者用装着帯システム。
【請求項１２】
前記複数の簡易着脱式拘束バックルの各々に保持プラグを更に含み、複数の簡易着脱式拘束バックルの各々が上部スロット部を有し、保持プラグが上部スロット部にしっかりと嵌合する大きさのプラグ部を有する、請求項１に記載の患者用装着帯システム。
【請求項１３】
前記複数の簡易着脱式拘束バックルの各々に保持プラグを更に含み、複数の簡易着脱式拘束バックルの各々が、上部スロット部、下部スロット部、及び移動止め部を有し、保持プラグが上部スロット部にしっかりと嵌合する大きさのプラグ部を有する、請求項１に記載の患者用装着帯システム。
【請求項１４】
前記複数の簡易着脱式拘束バックルの各々が、上部スロット部、下部スロット部、及び移動止め部を有し、移動止め部は、緊急簡易ベッドに設けられた取付け先端部材を上部スロット部から下部スロット部にスナップ式に差し込む大きさである、請求項１に記載の患者用装着帯システム。
【請求項１５】
前記複数の簡易着脱式拘束バックルの各々が、上部スロット部、下部スロット部、及び移動止め部を有し、移動止め部は、緊急簡易ベッドに設けられた取付け先端部材を上部スロット部から下部スロット部にスナップ式に差し込む大きさであり、前記患者用装着帯システムは複数の簡易着脱式拘束バックルの各々に保持プラグを更に含み、保持プラグが上部スロット部にしっかりと嵌合する大きさのプラグ部を有する、請求項１に記載の患者用装着帯システム。
【請求項１６】
前記肩部装着帯が固定用ベルト部分及び一対の肩部ベルト部分を含み、複数の簡易着脱式拘束バックルを介して骨盤ベルト及び固定用ベルト部分を緊急簡易ベッドに解放可能に取り付け、一対の肩部ベルト部分がスロットを各々有する一対の捻れた小身を備え、骨盤ベルトがバックル及び小身を備え、該小身はバックルに固定される際に前記捻れた小身の各スロットを通り抜ける大きさであり、複数の簡易着脱式拘束バックルの各々が、上部スロット部、下部スロット部、及び移動止め部を有し、移動止め部は、緊急簡易ベッドに設けられた取付け先端部材を上部スロット部から下部スロット部にスナップ式に差し込む大きさをしており、前記患者用装着帯システムは複数の簡易着脱式拘束バックルの各々に保持プラグを更に含み、保持プラグが上部スロット部にしっかりと嵌合する大きさのプラグ部を有する、請求項１に記載の患者用装着帯システム。
【請求項１７】
前記請求項１に記載の患者用装着帯システムを用いて、緊急簡易ベッドに患者を固定する方法であって、
胸部ベルト拘束具を緊急簡易ベッドに固定する工程と、
大腿部ベルト拘束具を緊急簡易ベッドに固定する工程と、
複数の簡易着脱式拘束バックルを介して装着帯拘束具を緊急簡易ベッドに取り付ける工程と、を含む前記方法。
【請求項１８】
前記装着帯拘束具を取り付ける工程が、背もたれパネル及びその長手方向に延びるフレーム部材に設けられた取付け先端部材に、複数の簡易着脱式拘束バックルをスナップ式に差し込むことを含み、前記方法は、複数の各簡易着脱式拘束バックルに保持プラグを組み込む工程を更に含む、請求項１７に記載の方法。
【請求項１９】
前記請求項１８に記載の方法であって、肩部拘束具がスロットを各々有する一対の捻れた小身を備えた一対の肩部ベルト部分を含み、骨盤ベルトがバックル及び小身を備え、該小身はバックルに固定される際に前記捻れた小身の各スロットを通り抜ける大きさであり、前記方法は、患者を緊急簡易ベッドに乗せ、患者の上に肩部ベルト部分を置いて、捻れた小身の各スロットを通り抜ける小身をバックルに固定する工程を更に含む、前記方法。
【請求項２０】
前記請求項１９に記載の方法であって、更に胸部ベルト拘束具及び大腿部ベルト拘束具により患者を緊急簡易ベッドに固定する工程を更に含む、前記方法。
【発明の詳細な説明】
【技術分野】
【０００１】
本発明は、一般に装着帯（harnesses）に関し、具体的には、緊急簡易ベッド（emergency cot）の患者用装着帯システム（patient harness system）に関する。
【背景技術】
【０００２】
救急車内の患者を効果的に拘束するには、特有で未解決の多くの問題を有する複雑な課題がある。救急車の環境は、特に搭乗者の応急処置を目的として設計されているので、衝突の環境に曝されることは搬送を必要とする患者にとってより厳しいであろう。常時監視を必要とする急性疾患を抱えた患者を搬送する際、現在の実務は、胸部及び腰部ベルト（chest and hip belts）で患者を簡易ベッドに直接拘束することである。しかし、このような実務は、前方向における衝突時拘束（crash restraint）を事実上備えていない。
【発明の概要】
【発明が解決しようとする課題】
【０００３】
本発明が、特に前方向の、衝突時拘束を備えた緊急簡易ベッドの患者用装着帯システムを提供するのは、上述の背景技術に抗するためである。
【課題を解決するための手段】
【０００４】
一実施の形態において、本発明の緊急簡易ベッドの患者用装着帯システムが開示される。患者用装着帯システムは、胸部ベルト拘束具（chest strap restraint）と、大腿部ベルト拘束具と、肩部装着帯（shoulder harness）及び骨盤拘束具を備えた装着帯拘束具とを含む。装着帯拘束具は、複数の簡易着脱式拘束バックル（quick release restraint buckles）を介して緊急簡易ベッドに取付け可能である。
【０００５】
別の実施の形態においては、本発明の患者用装着帯システムを用いて、患者を緊急簡易ベッドに固定する方法が開示される。この方法は、胸部ベルト拘束具を緊急簡易ベッドに留め、大腿部ベルト拘束具を緊急簡易ベッドに留め、複数の簡易着脱式拘束バックルを介して、装着帯拘束具を緊急簡易ベッドに取り付ける、ことを含む。
【０００６】
本発明の以上の及びその他の特徴及び利点は、添付の図面と併せて、本発明の様々な実施の形態における以下の説明からより一層理解されるであろう。特に、本発明の構成及び操作方法は、発明の更なる目的及び利点と共に、添付の図面に関連付けた以下の説明を参照することにより最も良く理解され得るであろう。
【図面の簡単な説明】
【０００７】
【図１】本発明の患者拘束システムの正面起立斜視図であって、ボックス型シーツを備えたマットレスの周りにループを付けた部分を有する緊急簡易ベッドに用意され、使用できるように準備された患者拘束システムを示す。
【図２】緊急簡易ベッドに患者を固定した図１の患者拘束システムの正面起立斜視図である。
【図３】緊急簡易ベッドの背もたれパネルを通る、患者拘束システムの胸部ベルト拘束具の取付けを示す側面起立斜視図である。
【図４】緊急簡易ベッドのシート（seat）パネルを通る、患者拘束システムの大腿部ベルト拘束具の通り抜けを示す底面斜視図である。
【図５】患者拘束システムの骨盤ベルトの緊急簡易ベッドへの取付けを示す側面起立部分斜視図である。
【図６】患者拘束システムの簡易着脱式拘束バックルの緊急簡易ベッドへの取付けを示す側面起立部分斜視図である。
【図７】患者拘束システムの保持プラグの嵌合を示す側面起立部分斜視図である。
【図８】所定の位置に正しく嵌合された図７の保持プラグの側面起立部分斜視図である。
【図９】本発明の患者用装着帯システムの肩部装着帯の捻れた小身（こみ：tang；差し込み部分）を長いスロットに通す、患者用装着帯システムの骨盤ベルトの小身の送出しを示す部分正面斜視図である。
【発明を実施するための形態】
【０００８】
本発明は、種々の形態の実施例が可能であるが、本明細書の開示が本発明における原理の例示とみなされるとの了解の下に、特定の実施例は、図面に図示され、明細書に詳細に説明され、図示され明細書に説明された通りに本発明を限定することを意図するものではない。当業者ならば、図面中の構成要素は、簡潔性及び明確性を目的として図示され、必ずしも縮尺通り描かれていないことが分かるであろう。例えば、図面中のある構成要素の寸法は、本発明の実施例の理解を深めるのに役立つよう、他の構成要素に対して、そして取り外される従来の部材が誇張されているかも知れない。
【０００９】
拘束具の使用の指針
本発明によれば、図示の一実施例において、例えば図１に示すように、装着帯拘束具１２と、胸部ベルト拘束具１４と、大腿部ベルト拘束具１６とを有する患者用装着帯システム１０が開示される。患者を緊急簡易ベッド１８に固定するために、また、衝突時に患者を前方向に拘束するために、本発明は３つの拘束具１２，１４，１６を備える。一実施の形態において、ベルト拘束具１４，１６は、２本の２１３．３ｃｍ（seven-foot）の長さのワンピース拘束具である。装着帯拘束具１２は、肩部装着帯２０及び骨盤ベルト２２を備える。本発明の患者用装着帯システム１０により適切に拘束された患者２４が図２に示される。図３〜８を参照し、緊急簡易ベッド１８への患者用装着帯システム１０の取付けの説明を以下に行う。
【００１０】
ベルト拘束具の取付け
緊急簡易ベッド１８の背もたれパネル２６及び脚部パネル３２をそれぞれ介して拘束具を張るようにして、患者用装着帯システム１０（図１）のベルト拘束具１４，１６が簡易ベッド１８に取り付けられる。図３に示すように、例えば、胸部ベルト拘束具１４のバックルを外した状態で背もたれパネル２６を持ち上げて、裏側から背もたれパネル２６の第一拘束スロット３０ａを経て、胸部ベルト拘束具１４のバックル２８を表側に通す。次いで、背もたれパネル２６上面を横切ってバックル２８を引っ張り、別の拘束スロット３０ｂに通す。
【００１１】
大腿部ベルト拘束具１６については、例えば、緊急簡易ベッド１８の脚部パネル３２を最も高いショック位置にして、通常その上に設けられる羽布張り３４のチャックを開けた状態で、図４に示すように、大腿部ベルト拘束具１６のバックル３６を羽布張り３４の第一カバー・スロット３８ａ（一部を図示）に押し込んで通し、簡易ベッド１８の脚部パネル３２の下側を通って、羽布張り３４の他側の第二カバー・スロット３８ｂに通す。バックル３６を第二カバー・スロット３８ｂに通すと、次に、羽布張り３４のチャックを締める。ベルト拘束具１４，１６は、このようにして、図１に示すように使用できる状態に準備される。
【００１２】
装着帯拘束具の取付け
前述の通り、装着帯拘束具１２は、２つの部材、即ち肩部装着帯２０及び骨盤ベルト２２を有する。図５を参照すると、マットレスが簡易ベッド１８に用意されると、骨盤ベルト２２は、簡易ベッド１８のシート・パネル４４上方に跨る第一骨盤ベルト部分４２を備え、シート・パネル４４とマットレス４０（図１）の間に第一骨盤ベルト部分４２が配置される。第二及び第三骨盤ベルト部分４６，４８は、図２に示すように、結合すると患者２４の上面に位置する小身５０及びバックル５２をそれぞれ備える。また、ベルト長さ調節器５３ａ，５３ｂが、それぞれ第二及び第三骨盤ベルト部分４６，４８に設けられる。
【００１３】
拘束ベルト２２が留められていない状態でベルト部分を、例えば第二骨盤ベルト部分４６を長くするには、小身５０及びベルト部分４６を各ベルト調節器５３ａと直角に位置させて、小身５０が所望の長さに達するまで小身を調節器から引き離す。ベルト部分を、例えば第二骨盤ベルト部分４６を短くするには、ベルト部分４６の留められていない端部を各ベルト調節器５３ａと直角に位置させて、小身５０が所望の長さに達するまで端部を調節器から引き戻す。図１に示すような肩部装着帯２０に設けられたベルト長さ調節器５３ｃ，５３ｄも同様であるが、別のベルト長さ調節器５３ｂは同様に作用するので省略し、調節器５３ａ，５３ｂ，５３ｃ，５３ｄに関する説明は、これ以上しない。
【００１４】
図５に戻ると、骨盤ベルト２２は、また、一対の簡易着脱式拘束バックル５４ａ，５４ｂを備えており、これらは、骨盤ベルト部分４２と第二ベルト部分４６間及び骨盤ベルト部分４２と第三ベルト部分４８間にそれぞれ位置する。簡易着脱式拘束バックル５４ａ，５４ｂの各々は、簡易ベッド１８に設けられた取付け先端部材５６ａ（図５に図示されていない側も同様である）に取り付けられる。簡易着脱式拘束バックル５４ａ，５４ｂは、拘束バックルを上方に引っ張って所定の位置に拘束バックルをスナップ式に差し込むことにより、取付け先端部材５６ａ（図５），５６ｂ（図３）に固定される。
【００１５】
一実施の形態において、骨盤ベルト２２の取付け先端部材５６ａ，５６ｂは、シート・パネル４４に隣接して長手方向に延びる側部フレーム部材５３ａ，５３ｂに設けられている。他の実施の形態において、取付け先端部材５６は、簡易ベッド１８への簡易着脱式拘束バックル５４ａ，５４ｂの固定に好都合な簡易ベッド１８のいかなる箇所に配置されてもよく、図２に示すような骨盤ベルト２２の更に好適な使用をもたらすであろう。簡易着脱式拘束バックルで採用されるスナップ式差し込みについては、本発明によれば、工具を使用することなく、バックル５４ａ，５４ｂを簡単に着脱させることができ、簡易ベッド１８への肩部装着帯２０の解放可能な取付けを参照しながら、また図６〜８を参照して以下に更に説明する。
【００１６】
簡易ベッド１８へマットレス４０（リンネル付き又はなし）を適合させ、例えば図１に示すような留められていない骨盤ベルト２２の第二及び第三骨盤部分４６，４８を装着した後に、固定用ベルト部分５８及びその肩部ベルト部分６０ａ，６０ｂをマットレス４０に取り付けることにより、肩部装着帯２０が装着される。固定用ベルト部分５８の両側は同じであるので、一方の側についてのみ以下に説明し、図示する。簡易着脱式バックル５４ｃ等の簡易着脱式拘束バックルは、固定用ベルト部分５８の各端部に設けられ、図６に示すように、背もたれパネル２６の両側面に設けられた各取付け先端部材５６ｃに取り付けられる。別の取付け先端部材５６ｄが図３に図示され、この先端部材に装着帯拘束具１２における固定用ベルト部分５８の別の簡易着脱式バックル（図示せず）が解放可能に取り付けられる。
【００１７】
図６に最も良く示されるが、簡易着脱式バックル５４ｃは、下部スロット部６６ｂに向かって先細りの上部スロット部６６ａを有する鍵穴状のスロット６４を備えている。上部スロット部６６ａと下部スロット部６６ｂの間には、直径が取付け先端部材５６ｃのステム部６８よりもやや狭い移動止め部６６ｃがある。狭い移動止め部６６ｃのため、ステム部６８を上部スロット部６６ａに位置させて、簡易着脱式拘束バックル５４ｃを上方に引っ張ると、ステム部６８が移動止め部６６ｃを通り越えてスナップ式に差し込まれ、移動止め部６６ｃとの締まり嵌めにより下部スロット部６６ｂに保持される。下部スロット部６６ｂよりも広い簡易着脱式拘束バックル５４ｃのキャップ部７０は、図７に示すように、簡易着脱式拘束バックル５４ｃが取付け先端部材５６ｃから抜け出し得ないことを保証する。
【００１８】
装着帯拘束具１２は、図示され本明細書で説明されるように、工具を使用することなく容易に取り外せるように設計され、患者を迅速に移送して意図しない解放を回避できるが、装着帯拘束具１２は、更に、簡易着脱式拘束バックルの各々に保持プラグ７２を備える。図７に示すように、保持プラグ７２は、簡易着脱式拘束バックル５４ｃの上部スロット部６６ａに、しっかりと嵌合する形状をしたプラグ部７４を有する。プラグ部７４を上部スロット部６６ａに押し込んだ状態では、図８に示すように、保持プラグ７２により、拘束バックル５４ｃを無意識に下方に引っ張っても、下部スロット部６６ｂから取付け先端部材５６ｃのステム部６８を直ちに解放することができない。患者用装着帯システム１０を備えた緊急簡易ベッド１８への患者２４の固定については、図１，２，９を参照して以下に説明する。
【００１９】
拘束具による患者の固定
患者用装着帯システム１０を備えた緊急簡易ベッド１８に患者２４を固定するには、肩部ベルト部分６０ａ，６０ｂ及び骨盤ベルト部分４６，４８を長くし、装着帯システムを留めないで、図１，９に示すように装着の準備を整える。認可されたＥＭＳ（救急医療）手順により患者２４を簡易ベッド１８に移送すると、図９に示すように、肩部ベルト部分６０ａ，６０ｂを患者の両肩上に及び患者の正面に引っ張る。肩部ベルト部分６０ａ，６０ｂの端部に設けられた一対の捻れた長い小身７６ａ，７６ｂを互いに隣接して位置させる。一対の捻れた長い各小身７６ａ，７６ｂはそれぞれ長いスロット７８ａ，７８ｂを備えており、これらのスロットは、各スロットを骨盤ベルト２２の小身５０が通り抜けて、バックル５２の係合スロット８０に解放可能に差し込みできる大きさである。
【００２０】
バックル５２の押しボタン８２を操作して小身５０をバックルから解放させることができ、これは、ベルト拘束具１４，１６の両端部にそれぞれ設けられた小身５５，５７とバックル２８，３６（図１）との関係と同様である。骨盤ベルト２２の小身５０を長いスロット７８ａ，７８ｂに通して、バックル５２の係合スロット８０にしっかりと差し込むと、骨盤ベルト２２が図２に示すように留められている間は、捻れた小身の対向面８４ａ，８４ｂが互いに接触してそのような状態を保持する。
【００２１】
次に、肩部ベルト部分６０ａ，６０ｂが患者の両肩部にぴったり合うと共に、２つの捻れた長い小身７６ａ，７６ｂが、成人（１４才以上又は４６ｋｇ以上）では図２に示すように患者の胴部中央に位置するまで、あるいは、子供（３〜１４才又は１４〜４６ｋｇ）では骨盤の骨の部位中央に位置するまで、肩部ベルト部分６０ａ，６０ｂを調整する。最後に、図２にまた示すように、胸部ベルト拘束具１４及び大腿部ベルト拘束具１６を患者２４の胸部及び大腿部に合わせ、固定して調整する。
【００２２】
装着帯の取り外し
装着帯は、患者の移送を容易にするように設計される。患者の移送の際に寝具が用いられると、肩部装着帯２０を外さなければならないが、他のベルトは簡易ベッド１８に取り付けたままでよい。
【００２３】
そうするために、胸部ベルト拘束具１４、骨盤ベルト拘束具２２、及び大腿部ベルト拘束具１６をそれぞれ解き、これらの端部を邪魔にならない適当な箇所に置く。肩部ベルト部分６０ａ，６０ｂを患者の頭上に引っ張り、患者のいない場所に置く。例えば図７に示すようなバックル５４ｃ等の背もたれ・簡易着脱式バックルの一方の保持プラグ７２を取り外す。簡易着脱式バックル５４ｃを押し下げ、これを図６に示すような取付け先端部材５６ｃから外す。肩部装着帯２０を患者の頭部方向に引っ張り上げ、肩部装着帯２０がマットレス４０から除かれるまで、固定用ベルト部分５８を患者２４の下から注意深く引っ張り出す。このようにして、マットレス４０上に位置する患者２４を簡易ベッド１８から移送することができる。
【００２４】
以上の実施例及び実施の形態は、本発明の範囲を限定するのではなく、その原理の説明を目的とするものである。これらの好ましいものに変更を加えたその他の実施例及び実施の形態は、当業者であれば明白であり、添付の特許請求の範囲に定義された本発明の精神及び範囲から逸脱することなく変更可能である。
【図１】
2010500122.tif 000003
【図２】
2010500122.tif 000004
【図３】
2010500122.tif 000005
【図４】
2010500122.tif 000006
【図５】
2010500122.tif 000007
【図６】
2010500122.tif 000008
【図７】
2010500122.tif 000009
【図８】
2010500122.tif 000010
【図９】
2010500122.tif 000011
【国際調査報告】
2010500122.tif 000012
2010500122.tif 000013
2010500122.tif 000014